(57)【要約】【課題】連続燃焼バーナを備えた加熱炉においてのＮＯｘ濃度低減を、低コストで、しかも該連続燃焼バーナでの燃焼状態、炉内に装入したスラブに悪影響を与えることなく行う。【解決手段】熱交換手段５によって予熱された予熱燃焼空気の一部を外部に排出する排気手段９ａと、連続燃焼バーナ２に供給する予熱燃焼空気中に予熱されていない冷空気を供給する供給手段１４と、加熱炉１から排出される燃焼排ガス中のＮＯｘ濃度を測定するＮＯｘ測定手段１１と、ＮＯｘ測定手段１１で測定したＮＯｘ濃度が予め設定した設定値を超えたときに、連続燃焼バーナ２に供給される燃焼空気の温度を下げるために、排気手段９ａが予熱された燃焼空気の一部を外部に排出すると共に該外部に排出した予熱燃焼空気に対応した量の冷空気を供給手段１４により連続燃焼バーナ２に供給する予熱燃焼空気中に供給するための制御を行う制御手段１２を設けた。【選択図】図１
2010060156.tif 000002
【特許請求の範囲】
【請求項１】
炉内を連続的に燃焼する連続燃焼バーナを備えた加熱炉と、該加熱炉の炉尻から排出される燃焼排ガスの排熱を回収して前記連続燃焼バーナに供給される燃焼空気を予熱する熱交換手段と、該熱交換手段で排熱を回収した後の前記燃焼排ガスを大気中に放散する煙突を有する加熱炉において、
前記熱交換手段によって予熱された予熱燃焼空気の一部を外部に排出する排気手段と、
前記連続燃焼バーナに供給する予熱燃焼空気中に予熱されていない冷空気を供給する供給手段と、
前記加熱炉から排出される燃焼排ガス中のＮＯｘ濃度を測定するＮＯｘ測定手段と、
前記ＮＯｘ測定手段で測定したＮＯｘ濃度が予め設定した設定値を超えたときに、前記連続燃焼バーナに供給される燃焼空気の温度を下げるために、前記排気手段が前記予熱された燃焼空気の一部を外部に排出すると共に、該外部に排出した予熱燃焼空気に対応した量の前記冷空気を前記供給手段により前記連続燃焼バーナに供給する予熱燃焼空気中に供給するための制御を行う制御手段を設けたことを特徴とする加熱炉のＮＯｘ抑制制御装置。
【請求項２】
前記ＮＯｘ測定手段により測定したＮＯｘ濃度と予め設定した設定値の差に応じて、前記予熱燃焼空気の排出量を決定することを特徴とする請求項１に記載の加熱炉のＮＯｘ抑制制御装置。
【発明の詳細な説明】
【技術分野】
【０００１】
本発明は、連続燃焼バーナを備えた加熱炉のＮＯｘ抑制制御装置に関する。
【背景技術】
【０００２】
近年、熱間圧延設備の連続式加熱炉では、燃焼排ガスの排熱を回収して燃焼空気を予熱することにより、省エネルギー効果を向上させることが行われている。この場合、燃焼排ガスからの排熱回収を増やすほど、燃焼空気を高温で予熱することができ、高い熱交換率を得ることができる。しかしながら、燃焼空気の予熱温度が高くなると、加熱炉に設置されたバーナの火炎温度が局所的に上昇し、大気汚染物質である窒素酸化物（ＮＯｘ）の濃度が急激に上昇するという問題がある。
【０００３】
また、加熱炉に設けられるバーナが、ルーフバーナのようなバーナタイル内で強い旋回流を与えて、バーナタイル内やその近傍の天井部において急激な燃焼を生じさせる形式のものの場合にはＮＯｘ濃度が非常に高くなる。
【０００４】
このような場合にＮＯｘ濃度の低減を図る方法としては、例えば燃焼排ガスとの熱交換により予熱された燃焼空気に水又は水蒸気を供給し、この燃焼空気を加湿し、バーナでの燃焼温度を下げることによって、ＮＯｘの発生を低減する方法が提案されている（例えば、特許文献１を参照）。また、ＮＯｘ濃度を低減する別の方法としては、加熱炉の排気設備に脱硝装置を設ける方法も提案されている（例えば、特許文献２、３を参照）。
【特許文献１】特開２００５−２４１１８４号公報
【特許文献２】特開２００１−７９３９４号公報
【特許文献３】特開平９−１４１３６３号公報
【発明の開示】
【発明が解決しようとする課題】
【０００５】
しかしながら、上記特許文献１に記載される方法は、水又は水蒸気を供給するための加湿装置が必要となるため、設備が複雑になり、設備コストが増加し、かつ、炉内での湿度が高くなって、加熱炉内のスラブにスケールが発生し易くなるといった問題がある。また、上記特許文献２、３に記載される方法も、脱硝装置が高価であることやアンモニアの取り扱いに注意が必要であることなど問題が多い。
【０００６】
本発明は、このような従来の事情に鑑みて提案されたものであり、連続燃焼バーナを備えた加熱炉においてのＮＯｘ濃度低減を、低コストで、しかも、該連続燃焼バーナでの燃焼状態、炉内に装入したスラブに悪影響を与えることなく、行うことができるＮＯｘ抑制制御装置を提供することを目的とする。
【課題を解決するための手段】
【０００７】
上記課題を解決することを目的とした本発明の要旨は以下の通りである。
（１）  炉内を連続的に燃焼する連続燃焼バーナを備えた加熱炉と、該加熱炉の炉尻から排出される燃焼排ガスの排熱を回収して前記連続燃焼バーナに供給される燃焼空気を予熱する熱交換手段と、該熱交換手段で排熱を回収した後の前記燃焼排ガスを大気中に放散する煙突を有する加熱炉において、
前記熱交換手段によって予熱された予熱燃焼空気の一部を外部に排出する排気手段と、
前記連続燃焼バーナに供給する予熱燃焼空気中に予熱されていない冷空気を供給する供給手段と、
前記加熱炉から排出される燃焼排ガス中のＮＯｘ濃度を測定するＮＯｘ測定手段と、
前記ＮＯｘ測定手段で測定したＮＯｘ濃度が予め設定した設定値を超えたときに、前記連続燃焼バーナに供給される燃焼空気の温度を下げるために、前記排気手段が前記予熱された燃焼空気の一部を外部に排出すると共に、該外部に排出した予熱燃焼空気に対応した量の前記冷空気を前記供給手段により前記連続燃焼バーナに供給する予熱燃焼空気中に供給するための制御を行う制御手段を設けたことを特徴とする加熱炉のＮＯｘ抑制制御装置。
（２）  前記ＮＯｘ測定手段により測定したＮＯｘ濃度と予め設定した設定値の差に応じて、前記予熱燃焼空気の排出量を決定することを特徴とする前記（１）に記載の加熱炉のＮＯｘ抑制制御装置。
【発明の効果】
【０００８】
以上のように、本発明では、簡単な設備構成であることから既設の加熱炉でも容易に適用可能であり、かつ、低コストで、しかも、加熱炉内に供給する燃焼用空気量及び水分量の変動が殆どないことから、バーナでの燃焼を安定継続でき、かつ、炉内に装入したスラブに悪影響を与えることなく、加熱炉の炉尻から排出される燃焼排ガス中の排熱を回収すると共に排ガス中のＮＯｘ濃度を予め設定した設定値以下にすることが可能となり、この分野における効果は大きい。
【発明を実施するための最良の形態】
【０００９】
以下、本発明を適用した加熱炉のＮＯｘ抑制制御装置について、図面を参照して詳細に説明する。
（第１の実施形態)
先ず、第１の実施形態として、図１に示すような熱間圧延設備の連続式加熱炉１に本発明を適用した場合を例に挙げて説明する。
【００１０】
この熱間圧延設備の連続式加熱炉（以下、加熱炉という。）１は、装入口１ａから炉内に装入された被加熱材であるスラブ（鋳片）を、搬送手段であるウォーキングビーム（図示せず。）によって搬送しながら、炉内の予熱帯、加熱帯、均熱帯を順次通過する間に、バーナによって所定温度まで加熱するものである。なお、所定温度まで加熱されたスラブは、加熱炉１の抽出口１ｂから抽出された後、次工程の圧延ライン（図示せず。）へと送られる。
【００１１】
加熱炉１には、炉内を連続的に加熱する連続燃焼バーナ２が複数設置されている。この連続燃焼バーナ２は、例えば、加熱炉１の上部に炉幅、炉長方向に並んで配置されるものである。なお、連続燃焼バーナ２としては、ルーフバーナ以外にも、加熱炉１の側部に配置されるサイドバーナや、加熱炉１の上部又は下部に炉長方向に沿って配置される軸流バーナなどを挙げることができ、これらの連続燃焼バーナ２を１種又は２種以上用いることができる。
【００１２】
加熱炉１は、その排熱回収設備として、炉内の燃焼排ガスを炉尻側から排出する排気系３と、排気系３から排出される燃焼排ガスを大気中に排出する１本の煙突４と、排気系３から排出される燃焼排ガスの排熱を回収して燃焼空気を予熱する熱交換手段であるレキュペレータ５とを備えている。
【００１３】
また、レキュペレータ５は、排気系３から排出される燃焼排ガスの排熱を回収し、燃焼空気ファン（ブロア）６により冷空気配管７を通して導入された燃焼空気を予熱した後、予熱燃焼空気配管８を通して連続燃焼バーナ２に供給する。
【００１４】
以上のような構造を有する加熱炉１の排熱回収設備では、レキュペレータ５が排気系３から排出される燃焼排ガスの排熱を回収して連続燃焼バーナ２に供給される燃焼空気を予熱することにより、加熱炉１の炉尻から排出される燃焼排ガスからの排熱回収を行うことができる。
【００１５】
ところで、このような加熱炉１の排熱回収設備では環境対策としてＮＯｘ濃度が設定値（例えば法規制による規制値など。) を超えないように、ＮＯｘの発生を抑制する必要がある。すなわち、このような低ＮＯｘ化の背景として、条例等によるＮＯｘ濃度の規制強化や、排出されるＮＯｘの総量規制などがある。
【００１６】
そこで、本発明では、ＮＯｘ濃度がそのような設定値を下回ることが困難な場合には、上述した加熱炉１の炉尻から排出される燃焼排ガスからの排熱回収に優先して、連続燃焼バーナ２に供給される燃焼空気の温度を下げることによりＮＯｘの低減を図ることとした。
【００１７】
具体的に、本発明は、レキュペレータ５によって予熱された予熱燃焼空気を外部に排出するための排気弁９を介設した排気配管９ａ（排気手段）と、レキュペレータ５からの予熱燃焼空気に予熱されていない空気（外気）を供給するための供給弁１０を介設したバイパス配管（供給手段）１４と、加熱炉１の炉尻から排出される燃焼排ガス中のＮＯｘ濃度を測定するためのＮＯｘ計（測定手段）１１と、連続燃焼バーナ２に供給される燃焼空気の温度を制御するための制御部（制御手段）１２とを備えている。
【００１８】
排気配管９ａは、予熱燃焼空気配管８の中途部に設けられている。更に、排気弁９は、流量調整弁であり、流量指示調節計１３を介して制御部１２と接続されている。また、バイパス配管１４は、レキュペレータ５を迂回して予熱燃焼空気配管８に排気管９ａの接続部よりも後段の位置で接続されており、燃焼空気ファン６によって導入された予熱されていない空気（外気）の一部を予熱燃焼空気配管８内に供給することが可能となっている。また、このバイパス配管１４に介設されている供給弁１０は、流量調整弁であり、流量指示調節計１５を介して制御部１２と接続されている。ＮＯｘ計１１は、排気系３のレキュペレータ５よりも後段の位置に配置されて、この排気系３を流れる燃焼排ガス中のＮＯｘ濃度を測定し、その測定データを逐次制御部１２に出力する。
【００１９】
制御部１２は、加熱炉１の各部の制御を行うメインコンピュータ、或いはこのメインコンピュータに接続された又は独立したコンピュータからなり、ＮＯｘ計１１から測定データが入力されると、内部に記録された制御プログラムに従って、ＮＯｘ濃度が予め設定された設定値を超えたか否かの判定を行い、ＮＯｘ濃度が設定値を超えたときには後述する連続燃焼バーナ２に供給される燃焼空気の温度を下げるための制御を行う。
【００２０】
以上のような構造を有する加熱炉１では、ＮＯｘ計１１が測定したＮＯｘ濃度が設定値を超えたときに、制御部１２からの指示に従って、流量指示調節計１３が排気弁９の開度を制御することによって、予熱された燃焼空気の一部を排気配管９ａから外部に排出することにより、予熱燃焼空気配管８を流れる予熱燃焼空気の流量を調整する。一方、制御部１２からの指示に従って、流量指示調節計１５が供給弁１０の開度を制御することによって、排気弁９から外部に排出された予熱燃焼空気に応じた量、すなわち同量の予熱されていない冷空気（燃焼空気ファン６から供給された外気）がバイパス配管１４から予熱燃焼空気配管８に供給されるように、該バイパス配管１４に流れる冷空気の流量を調整する。これにより、レキュペレータ５からの予熱燃焼空気が冷空気によって希釈されるため、例えば図３に示すように、連続燃焼バーナ２に供給される燃焼空気の温度を下げることができ、その結果、ＮＯｘの発生を抑制ずることができる。
【００２１】
次に、制御部１２における上記排気配管９ａからの予熱燃焼空気量及びバイパス配管１４からの冷空気量の制御について、さらに詳細に説明する。
制御部１２において、先ず、ＮＯｘ計１１の測定値を入力すると予め設定された時間内（例えば１時間）における平均値を算定し、この平均値が設定値を超えた際、この差（ΔＮＯｘ）を求め、次に、この差（ΔＮＯｘ）から図４（予め求めたＮＯｘ低減量と冷風混合率の関係を示す図）を基にして冷風混合率を算出する。そして、連続燃焼バーナー２で使用している全体の燃焼空気量に算出した冷風混合率を乗じて冷風混合量を求める。
【００２２】
そして、この冷風混合量に相当する予熱燃焼空気を排気管９ａから外部へ排出されるように流量指示調節計１３に排気弁９の開度指令を出力すると共に、バイパス配管１４から上記冷風混合量の冷空気が予熱燃焼空気配管８に供給されるように流量指示調節計１５に開度指令を出力する。これにより、排気弁９がその開度だけ開放して予熱燃焼空気が排気管９ａから外部へ放出され、冷空気がバイパス配管１４を通して予熱燃焼空気配管８に供給される。上記のように、排出される予熱燃焼空気と冷空気は同量であるために、燃焼に必要な空気量は確保される。
【００２３】
また、燃焼空気ファン６の送風量制御は、上記制御部１２から指示で行われるようにすることが好ましい。つまり、上記燃焼空気ファン６からの送風量が上記演算した冷風混合量だけ増加するように、該燃焼空気ファン６の回転数の増速指令を燃焼空気ファン６の駆動部（図示せず。）に出力するようにする。すなわち、排気管９ａから外部に排出した空気量だけ燃焼空気ファンの吐出風量が増加し、ファンの吐出圧力が低下するので、燃焼に必要な空気量と圧力が維持されるように燃焼空気ファンの制御を行っている。
【００２４】
以上のように、本発明では、加熱炉１の炉尻から排出される燃焼排ガス中のＮＯｘ濃度が設定値を超える場合に連続燃焼バーナ２に供給される燃焼空気の温度を下げることによってＮＯｘ発生の抑制を図ることが可能となる。
【００２５】
（第２の実施形態)
次に、第２の実施形態として、図２に示すような熱間圧延設備の連続式加熱炉２１に本発明を適用した場合を例に挙げて説明する。
【００２６】
この加熱炉２１には、上記第１の実施形態と同様に、炉内を連続的に加熱する連続燃焼バーナ２２と、炉内で燃焼と排気とを交互に繰り返しながら、排気時に燃焼排ガスの排熱を蓄熱体によって蓄熱回収し、燃焼時に蓄熱体に蓄熱された熱によって燃焼空気を予熱する蓄熱式バーナ（リゼネバーナ）２３とが設置されている。
【００２７】
連続燃焼バーナ２２は、上記第１の実施形態と同様であるため、ここでは説明を省略するものとする。また、蓄熱式バーナ２３は、蓄熱体を備えた一対のバーナを加熱炉２１の側部に対向配置されてなり、これら一対のバーナが燃焼と排気とを交互に繰り返しながら、一方のバーナの燃焼により発生した燃焼排ガスを他方のバーナの蓄熱体に通過させることによって、その燃焼排ガス中の顕熱を蓄熱体に蓄熱し、他方のバーナが燃焼する際にこの蓄熱体に燃焼空気を通過させることによって燃焼空気を予熱するようになされている。この蓄熱式バーナ２３は、加熱炉２１の予熱帯及び加熱帯の側部において、スラブの搬送路を挟んだ上部側と下部側とにそれぞれ設置されている。なお、蓄熱式バーナ２３は、上述した配置に限らず、予熱帯、加熱帯、均熱帯の何れかの側部に任意に設置することができる。
【００２８】
加熱炉２１は、その排熱回収設備として、誘引ファン２７を介設し、蓄熱式バーナ２３の燃焼排ガスを煙突２６近傍の後述する第２の排気系２５に導入するための第１の排気系２４と、炉内の燃焼排ガスを炉尻側から煙突２６に導入するための第２の排気系２５とを有し、更に、第２の排気系２５には前記同様に炉圧制御手段である炉圧ダンパ２８と、熱交換手段であるレキュペレータ２９とを備えている。
【００２９】
さらに、本実施態の連続燃焼バーナ２２に供給する燃焼用空気の供給系統は、上記第１の実施形態と同様であるため、ここでは説明を省略するものとする。また、蓄熱式バーナ２３の燃焼用空気の供給系統は、燃焼空気ファン３０からの燃焼用空気がレギュベレータ２９に供給される前に、該燃焼空気ファン３０からの燃焼用空気の一部を配管（図示せず。）で分岐して各々の蓄熱式バーナ２３に供給している。この際、この配管には流量調整弁（図示せず。）によって分岐燃焼用空気量が目標値になるように制御されている。
【００３０】
ＮＯｘ計３５は、第１の排気系２４の合流位置と煙突２６の間の第２の排気系２５に配置されて、この煙突２６に流入する燃焼排ガス中のＮＯｘ濃度を測定し、その測定データを制御部３６に入力する。
【００３１】
制御部３６は、上記第１の実施形態と同様に、加熱炉２１の各部の制御を行うメインコンピュータ、或いはこのメインコンピュータに接続された又は独立したコンピュータからなり、ＮＯｘ濃度の一定時間平均値が設定値を超えた際、この差（△ＮＯｘ）を求め、炉全体の燃焼量に対する連続燃焼バーナ２２の燃焼量割合で徐した量から連続燃焼バーナ２２のＮＯｘ低減量を求め、上記第１の実施形態と同様の制御を行う。
【００３２】
ＮＯｘ計３５の測定値を入力すると予め設定された時間内（例えば１時間）における平均値を算定し、この平均値が基準値を超えた際、この差（ΔＮＯｘ）を求め、この差（ΔＮＯｘ）から連続燃焼バーナ２２に供給する燃焼空気の温度低下量（ΔＴ）を算出し、この温度低下量（ΔＴ）となるように排気配管３３ａから大気中に排出する予熱燃焼空気量とバイパス配管３８を通して予熱燃焼空気配管３２に供給する冷空気（外気）量を演算し、この演算した両空気量を流量指示調節計３７、３９に出力して、排気弁３３、供給弁３４の開度を制御する。
【００３３】
そして、排気配管ａ３３から予熱燃焼空気を外気に排出し、この排出された予熱燃焼空気量と同等の量の予熱されていない冷空気（外気）がバイパス配管３８から予熱燃焼空気配管３２に供給される。これにより、連続燃焼バーナ２２に供給される燃焼空気の温度を下がり、ＮＯｘの発生を抑制することができる。
【００３４】
なお、本発明は、上述した熱間圧延設備の連続式加熱炉１、２１に限らず、少なくとも連続燃焼バーナを備えた加熱炉において適用することが可能である。また、前記制御部１２、３６においては、ＮＯｘ計３５で測定したＮＯｘ濃度と設定値の差（ΔＮＯｘ）を求め、この差（ΔＮＯｘ）を基にして排気弁９、３３、供給弁１０、３４の開度を制御するようにしたが、これに限定されることなく、予め、５〜１０分時間ピッチでステップ的に所定量（好ましくは、燃焼空気ファン定格風量の１０％程度の風量）毎に排気弁９、３３、供給弁１０、３４の開度制御を前記測定ＮＯＸ濃度が設定値以下になるまで繰り返し行ってもよい。
【図面の簡単な説明】
【００３５】
【図１】は、第１の実施形態として示す加熱炉の排熱回収設備の模式図である。
【図２】は、第２の実施形態として示す加熱炉の排熱回収設備の模式図である。
【図３】は、予熱燃焼空気を冷空気で希釈する希釈率と連続燃焼バーナに供給される予熱燃焼空気の温度の関係を示すグラフである。
【図４】は、希釈率とＮＯｘ低減量との関係を示すグラフである。
【符号の説明】
【００３６】
１、２１：加熱炉  
２、２２：連続燃焼バーナ  
３、２５：排気系  
４、２６：煙突  
５、２９：レキュペレータ（熱交換手段）  
６、３０：燃焼空気ファン  
８、３２：予熱燃焼空気配管  
９、３３：排気弁  
９ａ、３３ａ：排気配管（排気手段）  
１０、３４：供給弁  
１１、３５：ＮＯｘ計（ＮＯｘ測定手段）  
１２、３６：制御部（制御手段）  
１４、３１：バイパス配管（供給手段）  
２３：蓄熱式バーナ
【図１】
2010060156.tif 000003
【図２】
2010060156.tif 000004
【図３】
2010060156.tif 000005
【図４】
2010060156.tif 000006